(57)【要約】      （修正有）【課題】可能な限り多くの映像表示装置の要求を同時に満たす映像送信装置と映像表示装置の接続組み合わせを提供する。【解決手段】放送波受信部と蓄積部と送信可否判別部と切替指示部を備える第一の映像送信装置と、放送波受信部と送信可否判別部と切替指示部を備える第二の映像送信装置と、映像音声表示部と受信切替部を備える第一の映像表示装置と、映像音声表示部と受信切替部を備える第二の映像表示装置と、から成る送受信装置群において、第一の映像表示装置に放送の映像音声データを送信している第一の映像送信装置に対して、第二の映像表示装置が蓄積部に保存された映像音声データの送信を要求した場合は、第一の映像送信装置の指示により第一の映像表示装置が第二の映像送信装置から放送の映像音声データを受信するように接続を変更させ、第一の映像送信装置は第二の映像表示装置に対して蓄積部に保存された映像音声データを送信する。【選択図】図５
2011061645.tif 000002
【特許請求の範囲】
【請求項１】
受信される放送コンテンツあるいは蓄積される蓄積コンテンツを送信する第１の送信装置と、受信される放送コンテンツを送信する第２の送信装置と、第1あるいは第２の送信装置から送信されるコンテンツを受信する第１及び第２の受信装置からなるコンテンツの送受信システムにおける接続変更方法であって、
前記第１の送信装置から前記第１の受信装置へ放送コンテンツを送信するステップと、
前記第２の受信装置から前記第1の送信装置へ蓄積コンテンツの送信を要求するステップと、
前記第１の送信装置で要求された蓄積コンテンツの送信を行えるかどうかを判別する第1の判別ステップと
前記第1の判別ステップで、蓄積コンテンツの送信を行えないと判別された場合に、前記第２の送信装置から前記第１の受信装置へ放送コンテンツの送信を行えるかどうかを判別する第２の判別ステップと、
前記第２の判別ステップで、放送コンテンツの送信を行えると判別された場合に、前記第２の送信装置から前記第１の受信装置へ放送コンテンツを送信するステップと、
前記第1の送信装置において、第1の受信装置への放送コンテンツの送信を停止するとともに、第２の受信装置へ要求された蓄積コンテンツを送信するステップを備えることを特徴とするコンテンツの送受信システムにおける接続変更方法。
【請求項２】
前記第２の判別ステップで、放送コンテンツの送信を行えないと判別された場合には、前記第1の送信装置において、第２の受信装置へ要求された蓄積コンテンツを送信できないことを通知する通知ステップをさらに備えることを特徴とする請求項１に記載のコンテンツの送受信システムにおける接続変更方法。
【請求項３】
前記第1の送信装置から前記第２の受信装置に要求された蓄積コンテンツを送信できないことが通知された場合に、前記第２の受信装置において、蓄積コンテンツを再生できないことを提示するステップを備えることを特徴とする請求項２に記載のコンテンツの送受信システムにおける接続変更方法。
【請求項４】
前記第１の判別ステップで、蓄積コンテンツの送信を行えると判別された場合には、前記第１の送信装置から前記第２の受信装置へ要求された蓄積コンテンツを送信するステップをさらに備えることを特徴とする請求項１に記載のコンテンツの送受信システムにおける接続変更方法。
【請求項５】
前記第1の判別ステップは、送信帯域と放送コンテンツの容量を確認し、さらに蓄積コンテンツを送信するだけの帯域があるかどうかで、送信を行えるかどうかを判別することを特徴とする請求項１または４に記載のコンテンツの送受信システムにおける接続変更方法。
【請求項６】
前記第1の判別ステップは、放送コンテンツの送信に係る負荷を確認し、さらに蓄積コンテンツを送信するだけの余力があるかどうかで、送信を行えるかどうかを判別することを特徴とする請求項１または４に記載のコンテンツの送受信システムにおける接続変更方法。
【請求項７】
蓄積される第1及び第２の蓄積コンテンツを送信可能な第１の送信装置と、蓄積される第1の蓄積コンテンツを送信可能な第２の送信装置と、第1あるいは第２の送信装置から送信されるコンテンツを受信する第１及び第２の受信装置からなるコンテンツの送受信システムにおける接続変更方法であって、
前記第１の送信装置から前記第１の受信装置へ第１の蓄積コンテンツを送信するステップと、
前記第２の受信装置から前記第1の送信装置へ第２の蓄積コンテンツの送信を要求するステップと、
前記第１の送信装置で要求された第２の蓄積コンテンツの送信を行えるかどうかを判別する第1の判別ステップと
前記第1の判別ステップで、第２の蓄積コンテンツの送信を行えないと判別された場合に、前記第２の送信装置から前記第１の受信装置へ第１の蓄積コンテンツの送信を行えるかどうかを判別する第２の判別ステップと、
前記第２の判別ステップで、第１の蓄積コンテンツの送信を行えると判別された場合に、前記第２の送信装置から前記第１の受信装置へ第１の蓄積コンテンツを送信するステップと、
前記第1の送信装置において、第1の受信装置への第1の蓄積コンテンツの送信を停止するとともに、第２の受信装置へ要求された第２の蓄積コンテンツを送信するステップを備えることを特徴とするコンテンツの送受信システムにおける接続変更方法。
【請求項８】
前記第２の判別ステップで、第1の蓄積コンテンツの送信を行えないと判別された場合には、前記第1の送信装置において、第２の受信装置へ要求された第２の蓄積コンテンツを送信できないことを通知する通知ステップをさらに備えることを特徴とする請求項７に記載のコンテンツの送受信システムにおける接続変更方法。
【請求項９】
前記第1の送信装置から前記第２の受信装置に要求された第２の蓄積コンテンツを送信できないことが通知された場合に、前記第２の受信装置において、第２の蓄積コンテンツを再生できないことを提示するステップを備えることを特徴とする請求項７に記載のコンテンツの送受信システムにおける接続変更方法。
【請求項１０】
前記第１の判別ステップで、第２の蓄積コンテンツの送信を行えると判別された場合には、前記第１の送信装置から前記第２の受信装置へ要求された第２の蓄積コンテンツを送信するステップをさらに備えることを特徴とする請求項７に記載のコンテンツの送受信システムにおける接続変更方法。
【請求項１１】
前記第１の判別ステップは、送信帯域と第１の蓄積コンテンツの容量を確認し、さらに第２の蓄積コンテンツを送信するだけの帯域があるかどうかで、送信を行えるかどうかを判別することを特徴とする請求項７または１０に記載のコンテンツの送受信システムにおける接続変更方法。
【請求項１２】
前記第1の判別ステップは、第１の蓄積コンテンツの送信に係る負荷を確認し、さらに第２の蓄積コンテンツを送信するだけの余力があるかどうかで、送信を行えるかどうかを判別することを特徴とする請求項７または１０に記載のコンテンツの送受信システムにおける接続変更方法。
【発明の詳細な説明】
【技術分野】
【０００１】
本発明は、複数装置からなる送受信システムにおける接続変更方法に関するものであり、特に複数の映像送信装置と送信される映像を受信する複数の受信装置の送受信組み合わせを最適化する手法に関する。
【背景技術】
【０００２】
近年のデジタルテレビの動向として、チューナ部とパネル部を分離し、パネル部の薄型化を図った製品が多く登場している。このような分離型デジタルテレビでは、分離型の利点を最大限に活かすべくチューナ部とパネル部の接続に無線方式を採用することが主流である。将来は、一つの家庭に複数の分離型デジタルテレビが存在し、チューナ部とパネル部は一対一ではなく自由に組み合わせを変えられることが考えられる。
【０００３】
しかし、そのような状況では特定のチューナ部に対して複数のパネル部が接続を要求し、伝送帯域不足や過負荷状態などチューナ部の性能を上回ってしまう可能性がある。
【０００４】
また、近年のデジタルテレビのもう一つの傾向として、DLNA（Digital Living Network Alliance）対応製品の増加がある。DLNAでは、送信側であるサーバと受信側であるクライアントが存在し、家庭内に複数のサーバとクライアントが設置されている場合は、その組み合わせを自由に変えることができる。したがって、チューナ部とパネル部を両方備えた一体型デジタルテレビであっても、DLNA対応製品では、分離型デジタルテレビと同じく特定のサーバに対して複数のクライアントが接続を要求することで、伝送帯域不足や過負荷状態などサーバの性能を上回ってしまうという問題が起こりうる。
【０００５】
このような問題を解決する手法として、第一の送信装置の性能を上回る要求を受け付けた場合は、受信装置の接続要求を拒否し、第二の送信装置に接続させるという概念が特許文献1に開示されている。
【先行技術文献】
【特許文献】
【０００６】
【特許文献１】特開２００４−２２１６８４号公報
【発明の概要】
【発明が解決しようとする課題】
【０００７】
しかしながら、特許文献1の手法では、例えば第二の送信装置が第一の送信装置と同一のデータを保有していないなど、第二の送信装置が第一の送信装置の機能を代替できない場合に受信装置の要求を満たすことができないという問題がある点について何ら考慮されていなかった。
【０００８】
そこで、本発明では上記課題を鑑み、可能な限り多くの受信装置の要求を同時に満たすようにするための送受信システムにおける接続変更方法を提供することを目的とする。
【課題を解決するための手段】
【０００９】
上記課題を解決するために、本発明の、受信される放送コンテンツあるいは蓄積される蓄積コンテンツを送信する第１の送信装置と、受信される放送コンテンツを送信する第２の送信装置と、第1あるいは第２の送信装置から送信されるコンテンツを受信する第１及び第２の受信装置からなるコンテンツの送受信システムにおける接続変更方法においては、前記第１の送信装置から前記第１の受信装置へ放送コンテンツを送信するステップと、前記第２の受信装置から前記第1の送信装置へ蓄積コンテンツの送信を要求するステップと、前記第１の送信装置で要求された蓄積コンテンツの送信を行えるかどうかを判別する第1の判別ステップと、前記第1の判別ステップで、蓄積コンテンツの送信を行えないと判別された場合に、前記第２の送信装置から前記第１の受信装置へ放送コンテンツの送信を行えるかどうかを判別する第２の判別ステップと、前記第２の判別ステップで、放送コンテンツの送信を行えると判別された場合に、前記第２の送信装置から前記第１の受信装置へ放送コンテンツを送信するステップと、前記第1の送信装置において、第1の受信装置への放送コンテンツの送信を停止するとともに、第２の受信装置へ要求された蓄積コンテンツを送信するステップを備えるようにする。
【００１０】
また、本発明の、蓄積される第1及び第２の蓄積コンテンツを送信可能な第１の送信装置と、蓄積される第1の蓄積コンテンツを送信可能な第２の送信装置と、第1あるいは第２の送信装置から送信されるコンテンツを受信する第１及び第２の受信装置からなるコンテンツの送受信システムにおける接続変更方法においては、前記第１の送信装置から前記第１の受信装置へ第１の蓄積コンテンツを送信するステップと、前記第２の受信装置から前記第1の送信装置へ第２の蓄積コンテンツの送信を要求するステップと、前記第１の送信装置で要求された第２の蓄積コンテンツの送信を行えるかどうかを判別する第1の判別ステップと、前記第1の判別ステップで、第２の蓄積コンテンツの送信を行えないと判別された場合に、前記第２の送信装置から前記第１の受信装置へ第１の蓄積コンテンツの送信を行えるかどうかを判別する第２の判別ステップと、前記第２の判別ステップで、第１の蓄積コンテンツの送信を行えると判別された場合に、前記第２の送信装置から前記第１の受信装置へ第１の蓄積コンテンツを送信するステップと、前記第1の送信装置において、第1の受信装置への第1の蓄積コンテンツの送信を停止するとともに、第２の受信装置へ要求された第２の蓄積コンテンツを送信するステップを備えるようにする。
【発明の効果】
【００１１】
本発明によれば、可能な限り多くの受信装置の要求を同時に満たす送信装置と受信装置の接続の組み合わせを提供することができる。
【図面の簡単な説明】
【００１２】
【図１】本発明の実施形態にかかる装置の接続構成を示した図である。
【図２】本発明の実施形態にかかる映像送信装置の構成例を概略的に示した図である。
【図３】本発明の実施形態にかかる映像送信装置の構成例を概略的に示した図である。
【図４】本発明の実施形態にかかる映像表示装置の構成例を概略的に示した図である。
【図５】本発明の実施形態にかかる第一の映像送信装置が第二の映像表示装置からの映像音声データ送信要求を受けた際に、第一の映像表示装置に指示して映像音声データ送信元を変更させた上で、第二の映像表示装置に映像音声データを送信する手順を示すシーケンス図である。
【図６】本発明の実施形態にかかる第一の映像送信装置が第二の映像表示装置からの映像音声データ送信要求を受けた際に、第一の映像表示装置に対して映像音声データ送信元変更を指示するが、変更ができず、第二の映像表示装置に映像音声データを送信できないことを通知する手順を示すシーケンス図である。
【図７】本発明の実施形態にかかる映像表示装置において、ユーザに結果を提示する画面表示の一例を示す図である。
【図８】本発明の実施形態にかかる映像送信装置の構成例を概略的に示した図である。
【図９】本発明の実施形態にかかる第一の映像送信装置が第二の映像表示装置からの映像音声データ送信要求を受けた際に、第一の映像送信装置が送信帯域とコンテンツ容量に基づいて送信可否を判断し、第一の映像表示装置に指示して映像音声データ送信元を変更させた上で、第二の映像表示装置に映像音声データを送信する手順を示すシーケンス図である。
【図１０】本発明の実施形態にかかる第一の映像送信装置が第二の映像表示装置からの映像音声データ送信要求を受けた際に、第一の映像送信装置が送信帯域とコンテンツ容量に基づいて送信可否を判断し、第二の映像表示装置に対してそのまま像音声データを送信する手順を示すシーケンス図である。
【図１１】本発明の実施形態にかかる映像送信装置の構成例を概略的に示した図である。
【図１２】本発明の実施形態にかかる第一の映像送信装置が第二の映像表示装置からの映像音声データ送信要求を受けた際に、第一の映像送信装置が自身の動作負荷に基づいて送信可否を判断し、第一の映像表示装置に指示して映像音声データ送信元を変更させた上で、第二の映像表示装置に映像音声データを送信する手順を示すシーケンス図である。
【図１３】本発明の実施形態にかかる映像送信装置の構成例を概略的に示した図である。
【図１４】本発明の実施形態にかかる第一の映像送信装置が第二の映像表示装置からの映像音声データ送信要求を受けた際に、第二の映像表示装置の要求する映像音声データを第二の映像送信装置から送信させることが可能か否か第一の映像送信装置が判断し、第一の映像表示装置に指示して映像音声データ送信元を変更させた上で、第二の映像表示装置に映像音声データを送信する手順を示すシーケンス図である。
【図１５】本発明の実施形態にかかる装置の接続構成を示した図である。
【図１６】本発明の実施形態にかかる映像送受信装置の構成例を概略的に示した図である。
【図１７】本発明の実施形態にかかる映像受信装置の構成例を概略的に示した図である。
【図１８】本発明の実施形態にかかる第一の映像送受信装置が第二の映像受信装置からの映像音声データ送信要求を受けた際に、第二の映像受信装置の要求する映像音声データを第二の映像送受信装置から送信させることが可能か否か第一の映像送受信装置が判断し、第一の映像受信装置に指示して映像音声データ送信元を変更させた上で、第二の映像受信装置に映像音声データを送信する手順を示すシーケンス図である。
【発明を実施するための形態】
【００１３】
以下、図面を用いて実施例を説明する。
【実施例１】
【００１４】
図1は、本実施例にかかる装置の接続構成を示した図である。
【００１５】
映像送信装置101および映像送信装置102は、放送や通信で提供される映像音声データを受信する機能を備えており、映像表示装置103および映像表示装置104に対して、映像音声データを無線伝送路を介して送信する。なお、映像音声データを送信する伝送路は有線ネットワークでも良く、無線に限定するものではない。
【００１６】
映像表示装置103および映像表示装置104は、映像送信装置101または映像送信装置102に映像音声データの送信を無線伝送路経由で要求し、受信した映像音声データを表示する。
【００１７】
図2は、本実施例にかかる映像送信装置101の構成例を概略的に示した図である。
【００１８】
映像送信装置101は、放送波を受信する放送波受信部202と、映像音声データを映像表示装置に送信する映像音声送信部203と、ユーザからの指示が入力される操作入力部204と、映像送信装置を構成する各部に指示信号等を送信して全体を制御する制御部205とを有する。なお、映像音声データを受信する手段はネットワーク等でも良く、放送波に限定するものではない。
【００１９】
送信可否判別部206は、新たに映像表示装置から送信要求を受け付けた場合に、送信可否を判別する。切替指示部207は、送信可否判別部206により送信不可と判断した場合に、現在送信中の映像表示装置に対して送信元の切り替えを指示する。また、映像送信装置101は、映像音声データを保存しておく蓄積部208を有する。
【００２０】
図3は、本実施例にかかる映像送信装置102の構成例を概略的に示した図である。
【００２１】
映像送信装置102は、放送波を受信する放送波受信部302と、映像音声データを映像表示装置に送信する映像音声送信部303と、ユーザからの指示が入力される操作入力部304と、映像送信装置を構成する各部に指示信号等を送信して全体を制御する制御部305とを有する。
【００２２】
送信可否判別部306は、新たに映像表示装置から送信要求を受け付けた場合に、送信可否を判別する。切替指示部307は、送信可否判別部306により送信不可と判断した場合に、現在送信中の映像表示装置に対して送信元の切り替えを指示する。
【００２３】
本実施例では、映像送信装置101および映像送信装置102が同時に1つの映像表示装置にのみ映像音声データを送信できるものとして説明するが、これによって映像送信装置が同時に映像音声データを送信できる映像表示装置の数を限定するものではない。
【００２４】
図4は、本実施例にかかる映像表示装置103および映像表示装置104の構成例を概略的に示した図である。
【００２５】
映像表示装置103および映像表示装置104は、映像送信装置が送信した映像音声データを受信する映像音声受信部402と、映像音声データをユーザに提示する映像音声表示部403と、ユーザからの指示が入力される操作入力部404と、映像表示装置を構成する各部に指示信号等を送信して全体を制御する制御部405とを有する。
【００２６】
受信切替部406は、映像送信装置からの切替指示に基づき、映像音声データの送信元を切り替える。
【００２７】
図5は、本実施例にかかる映像送信装置101が映像表示装置104からの映像音声データ送信要求を受けた際に、映像表示装置103に指示して映像音声データ送信元を変更させた上で、映像表示装置104に映像音声データを送信する手順を示している。
【００２８】
ステップ501は、映像送信装置101が映像表示装置103に対して放送コンテンツの映像音声データを送信している状態である。このとき、映像送信装置102はどの映像表示装置に対しても映像音声データを送信していないものとする。また、映像表示装置104はどの映像送信装置からも映像音声データを受信していないものとする。
【００２９】
ステップ502は、映像表示装置104が映像送信装置101に対して、蓄積部208に蓄積している映像音声データの送信を要求する処理である。
【００３０】
ステップ503は、映像送信装置101が送信可否判別部206において、映像表示装置104に対して映像音声データを送信できるか否か判別する処理である。このとき、映像送信装置101は映像表示装置103に対して映像音声データを送信しているため、同時に映像表示装置104に映像音声データを送信することはできない。
【００３１】
ステップ504は、映像送信装置101が切替指示部207において、映像表示装置103に対して映像データ送信元の変更を指示する処理である。
【００３２】
映像送信装置101が備える放送波受信部202は、映像送信装置が共通に備える基本機能であり、映像送信装置102の放送波受信部302で代替することが可能である。一方、映像送信装置101が備える蓄積部208は、映像送信装置101だけが付加的に備える機能であり、映像送信装置102がその機能を代替することはできない。したがって、映像送信装置101は映像送信装置102で代替できる機能を利用している映像表示装置103に対して映像データ送信元を変更させ、映像送信装置102では代替できない機能を利用しようとする映像表示装置104の要求を優先することを試みる。このとき、映像送信装置101は映像表示装置103への映像音声データ送信を継続し、映像表示装置103の表示が途切れないようにする。
【００３３】
ステップ505は、映像送信装置101からの切替指示を受け、映像表示装置103が受信切替部406において、映像送信装置102に対して放送コンテンツの映像音声データの送信を要求する処理である。このとき、映像表示装置103は映像送信装置101からの映像音声データの受信を継続し、映像音声表示が途切れないようにする。
【００３４】
ステップ506は、映像送信装置102が送信可否判別部306において、映像表示装置103に対して映像音声データを送信できるか否か判別する処理である。このとき、映像送信装置102はどの映像表示装置に対しても映像音声データを送信していないため、映像表示装置103に対して映像音声データを送信することができる。
【００３５】
ステップ507は、映像送信装置102が映像表示装置103からの要求に応じ、放送コンテンツの映像音声データの送信を開始する処理である。このとき、映像表示装置103は映像送信装置101と映像送信装置102から同時に同じ映像音声データを受信することになるが、映像送信装置101から受信した映像音声データを表示したままの状態を保つ。
【００３６】
ステップ508は、映像表示装置103が映像送信装置101から受信した映像音声データの表示を停止し、映像送信装置102から受信した映像音声データの表示を開始する処理である。これにより、表示を途切れさせることなくスムーズに切り替えることが可能になる。
【００３７】
ステップ509は、映像表示装置103が映像送信装置101に対して映像音声データの送信を停止するよう要求する処理である。この要求を受け、映像送信装置101は映像表示装置103への映像音声データ送信を停止する。
【００３８】
ステップ510は、映像送信装置101が、映像表示装置103からの送信停止要求に基づいて映像音声データの送信を停止し、送信可否判別部206において映像表示装置104に対して映像音声データを送信できるか否か判別する処理である。このとき、映像送信装置101はどの映像表示装置に対しても映像音声データを送信していないため、映像表示装置104に対して映像音声データを送信することができる。
【００３９】
ステップ511は、映像送信装置101が映像表示装置104に対して蓄積部208に蓄積している映像音声データの送信を開始する処理である。この処理をもって映像表示装置103の映像音声データ送信元が映像送信装置102に切り替わり、映像表示装置104が映像送信装置101から映像音声データを受信することが可能になる。
【００４０】
図6は、本実施例にかかる映像送信装置101が映像表示装置104からの映像音声データ送信要求を受けた際に、映像表示装置103に対して映像音声データ送信元変更を指示するが、変更ができず、映像表示装置104に映像音声データを送信できないことを通知する手順を示している。
【００４１】
ステップ601から605は、図5におけるステップ501から505と同等の処理である。
【００４２】
ステップ606は、映像送信装置102が送信可否判別部306において、映像表示装置103に対して映像音声データを送信できるか否か判別する処理である。このとき、映像送信装置102が映像表示装置103および映像表示装置104ではない別の映像表示装置に対して映像音声データを送信していたとすると、映像表示装置103に対して映像音声データを送信することができない。
【００４３】
ステップ607は、映像送信装置102がステップ606の判断に基づき、映像表示装置103に対して映像音声データを送信できないことを通知する処理である。
【００４４】
ステップ608は、映像表示装置103が、ステップ604において映像送信装置101から受けた切替指示に対して、切り替えができなかったことを通知する処理である。
【００４５】
ステップ609は、映像送信装置101が、ステップ608の切替不可通知を受けて再度、映像表示装置104に対して映像音声データを送信できるか否か判別する処理である。映像送信装置101は映像表示装置103に対して映像音声データを送信し続ける必要があるため、新たに映像表示装置104に対して映像音声データを送信することはできない。
【００４６】
ステップ610は、映像送信装置101がステップ609の判断に基づき、映像表示装置104に対して映像音声データを送信できないことを通知する処理である。映像表示装置104は、映像送信装置101からの通知に基づき、図7に示す結果通知画面を表示しても良い。これにより、ユーザは原因がわからず何度も視聴開始を要求してしまうようなことがなくなり、利便性が一層向上する。
【００４７】
以上の処理によって、映像表示装置104から新たな送信開始要求が発生した場合であっても、先に映像音声データを受信していた映像表示装置103の視聴が中断されないようにすることが可能である。
【実施例２】
【００４８】
図8は、本実施例にかかる映像送信装置101の構成例を概略的に示した図である。
【００４９】
映像送信装置101を構成する各部802から808は、図2における202から208と同等の機能を持つ。
【００５０】
送信帯域管理部809は、映像送信装置101が送信することができる帯域を把握している。映像送信装置101が使用する無線方式の上限と、現在送信しているコンテンツの容量から、追加で送信できる余裕分の帯域を算出する。コンテンツ容量判別部810は、映像送信装置101が蓄積部808に保存している各コンテンツの容量を管理する。
【００５１】
本実施例において、映像送信装置102は図3に示す構成をもつとする。また、映像表示装置103および映像表示装置104は、図4に示す構成をもつとする。
【００５２】
図9は、本実施例にかかる映像送信装置101が映像表示装置104からの映像音声データ送信要求を受けた際に、送信帯域とコンテンツ容量に基づいて送信可否を判断し、映像表示装置103に指示して映像音声データ送信元を変更させた上で、映像表示装置104に映像音声データを送信する手順を示している。
【００５３】
ステップ901から902は、実施例1のステップ501から502と同等の処理である。
【００５４】
ステップ903は、映像送信装置101が送信帯域管理部809において、送信可能な帯域を確認する処理である。映像送信装置101が使用する無線方式の上限と、映像表示装置103に対して送信しているコンテンツの容量から、帯域の余裕分を算出する。
【００５５】
ステップ904は、映像送信装置101がコンテンツ容量判別部において、映像表示装置104が要求したコンテンツの容量を判別する処理である。
【００５６】
ステップ905は、映像送信装置101が送信可否判別部806において、ステップ903および904の結果に基づき、映像表示装置104に対して映像音声データを送信できるか否か判別する処理である。このとき、映像送信装置101が有する帯域の余裕分よりも映像表示装置104が要求したコンテンツの容量のほうが大きいとする。この場合、映像送信装置101は映像表示装置104に対して映像音声データを送信することができない。
【００５７】
そこで、ステップ906から913において、実施例1におけるステップ504から511と同等の処理を行うようにする。
【００５８】
図10は、本実施例にかかる映像送信装置101が映像表示装置104からの映像音声データ送信要求を受けた際に、送信帯域とコンテンツ容量に基づいて送信可否を判断し、映像表示装置104にも映像音声データを送信する手順を示している。
【００５９】
ステップ1001から1004は、図9におけるステップ901から904と同等の処理である。
【００６０】
ステップ1005は、映像送信装置101が送信可否判別部806において、ステップ1003および1004の結果に基づき、映像表示装置104に対して映像音声データを送信できるか否か判別する処理である。このとき、映像送信装置101が有する帯域の余裕分よりも映像表示装置104が要求したコンテンツの容量のほうが小さいとする。この場合、映像送信装置101は映像表示装置104に対して映像音声データを送信することができる。
【００６１】
ステップ1006は、映像送信装置101が、ステップ1005の判断に基づき、映像表示装置104に対して映像音声データを送信する処理である。
【００６２】
以上の処理により、新たに映像表示装置104から送信を要求された場合に、映像送信装置101が持つ送信帯域の余裕分と、送信を要求されているコンテンツの容量に応じて、柔軟に送信可否を判別することができる。
【実施例３】
【００６３】
図11は、本実施例にかかる映像送信装置101の構成例を概略的に示した図である。
【００６４】
映像送信装置101を構成する各部1102から1108は、図2における202から208と同等の機能を持つ。負荷管理部1109は、映像送信装置101の動作負荷を随時監視している。
【００６５】
本実施例において、映像送信装置102は図3に示す構成をもつとする。また、映像表示装置103および映像表示装置104は、図4に示す構成をもつとする。
【００６６】
図12は、本実施例にかかる映像送信装置101が映像表示装置104からの映像音声データ送信要求を受けた際に、映像送信装置101の動作負荷に基づいて送信可否を判断し、映像表示装置103に指示して映像音声データ送信元を変更させた上で、映像表示装置104に映像音声データを送信する手順を示している。
【００６７】
ステップ1201から1202は、実施例1のステップ501から502と同等の処理である。
【００６８】
ステップ1203は、映像送信装置101が負荷管理部1109において、現在の動作負荷を計測する処理である。
【００６９】
ステップ1204は、映像送信装置101が送信可否判別部1106において、ステップ1203の結果に基づき、さらに映像表示装置104に対して映像音声データを送信するだけの余力があるかどうかを判別する処理である。このとき、映像送信装置101には映像表示装置103に映像音声データを送信する処理で大きな負荷がかかっており、さらに映像表示装置104に対して映像音声データを送信するだけの余力がない場合は、ステップ1205から1212において、実施例1におけるステップ504から511と同等の処理を行うようにする。
【００７０】
また、映像送信装置101には映像表示装置103に映像音声データを送信する処理で大きな負荷がかかっておらず、さらに映像表示装置104に対して映像音声データを送信するだけの余力がある場合は、図10のステップ1006と同等の処理を行うようにする。
【００７１】
以上の処理により、映像送信装置101にかかる動作負荷を考慮した上で、映像表示装置104に対する映像音声データの送信可否を判断することができる。
【実施例４】
【００７２】
図13は、本実施例にかかる映像送信装置101および映像送信装置102の構成例を概略的に示した図である。
【００７３】
映像送信装置101および映像送信装置102を構成する各部1302から1308は、図2における202から208と同等の機能を持つ。他機器情報管理部1309は、同じネットワーク内に接続されている他の映像送信装置と通信し、互いの情報を管理している。例えば、映像送信装置101および映像送信装置102は、蓄積部1308を備えていて、蓄積部1308にどのようなコンテンツを保存しているか、互いに把握している。また、映像送信装置101および映像送信装置102は、現在電源が投入されているかどうか、動作状態を互いに把握している。なお、他機器のどのような機能を把握するかをユーザにあらかじめ設定させても良い。
【００７４】
本実施例において、映像表示装置103および映像表示装置104は、図4に示す構成をもつとする。また、映像送信装置101および映像送信装置102が同時に1つの映像表示装置にのみ映像音声データを送信できるものとして説明するが、これによって映像送信装置が同時に映像音声データを送信できる映像表示装置の数を限定するものではない。
【００７５】
図14は、本実施例にかかる映像送信装置101が映像表示装置104からの映像音声データ送信要求を受けた際に、映像表示装置103に指示して映像音声データ送信元を変更させた上で、映像表示装置104に映像音声データを送信する手順を示している。
【００７６】
ステップ1401は、映像送信装置101が映像表示装置103に対して蓄積コンテンツAの映像音声データを送信している状態である。このとき、映像送信装置102はどの映像表示装置に対しても映像音声データを送信していないものとする。また、映像表示装置104はどの映像送信装置からも映像音声データを受信していないものとする。
【００７７】
ステップ1402は、映像表示装置104が映像送信装置101に対して、蓄積部1308に蓄積している蓄積コンテンツBの送信を要求する処理である。
【００７８】
ステップ1403は、映像送信装置101が他機器情報管理部1309において、映像送信装置102の情報を確認する処理である。このとき、映像送信装置102は、蓄積部1308に蓄積コンテンツAを保存しているが、蓄積コンテンツBは保存していないものとする。また、映像送信装置102は電源が投入されているものとする。
【００７９】
ステップ1404は、映像送信装置101が送信可否判別部1306において、ステップ1403の結果に基づき、映像表示装置104に対して映像音声データを送信できるか否か判別する処理である。このとき、映像送信装置101は映像表示装置103に対して映像音声データを送信しているため、同時に映像表示装置104に映像音声データを送信することはできない。ここで、映像表示装置104が要求している蓄積コンテンツBは映像送信装置101のみ保有しているが、映像表示装置103に送信している蓄積コンテンツAは映像送信装置101および映像送信装置102ともに保有している。したがって、映像送信装置102が映像表示装置103に対して蓄積コンテンツAを送信すれば、映像送信装置101は映像表示装置104に対して蓄積コンテンツBを送信することができる。
【００８０】
ステップ1405は、映像送信装置101が切替指示部1307において、映像表示装置103に対して映像音声データ送信元の変更を指示する処理である。このとき、映像送信装置101は映像表示装置103への映像音声データ送信を継続し、映像表示装置103の表示が途切れないようにする。
【００８１】
ステップ1406は、映像送信装置101からの切替指示を受け、映像表示装置103が受信切替部406において、映像送信装置102に対して蓄積コンテンツAの映像音声データの送信を要求する処理である。このとき、映像表示装置103は映像送信装置101からの映像音声データの受信を継続し、映像音声表示が途切れないようにする。
【００８２】
ステップ1407は、映像送信装置102が送信可否判別部1306において、映像表示装置103に対して映像音声データを送信できるか否か判別する処理である。このとき、映像送信装置102はどの映像表示装置に対しても映像音声データを送信しておらず、かつ蓄積部1308に蓄積コンテンツAを保有しているため、映像表示装置103に対して映像音声データを送信することができる。
【００８３】
ステップ1408は、映像送信装置102が映像表示装置103からの要求に応じ、蓄積コンテンツAの映像音声データの送信を開始する処理である。このとき、映像表示装置103は映像送信装置101と映像送信装置102から同時に同じ映像音声データを受信することになるが、映像送信装置101から受信した映像音声データを表示したままの状態を保つ。
【００８４】
ステップ1409は、映像表示装置103が映像送信装置101から受信した映像音声データの表示を停止し、映像送信装置102から受信した映像音声データの表示を開始する処理である。これにより、表示を途切れさせることなくスムーズに切り替えることが可能になる。
【００８５】
ステップ1410は、映像表示装置103が映像送信装置101に対して映像音声データの送信を停止するよう要求する処理である。この要求を受け、映像送信装置101は映像表示装置103への映像音声データ送信を停止する。
【００８６】
ステップ1411は、映像送信装置101が、映像表示装置103からの送信停止要求に基づいて映像音声データの送信を停止し、送信可否判別部1306において映像表示装置104に対して映像音声データを送信できるか否か判別する処理である。このとき、映像送信装置101はどの映像表示装置に対しても映像音声データを送信していないため、映像表示装置104に対して映像音声データを送信することができる。
【００８７】
ステップ1412は、映像送信装置101が映像表示装置104に対して蓄積部1308に蓄積している蓄積コンテンツBの映像音声データの送信を開始する処理である。この処理をもって映像表示装置103の映像音声データ送信元が映像送信装置102に切り替わり、映像表示装置104が映像送信装置101から送信される映像音声データを受信することが可能になる。
【００８８】
以上の処理によれば、映像表示装置が要求するコンテンツがどの映像送信装置に保有されているかを確認し、適切な送受信に関する接続にすることができる。
【実施例５】
【００８９】
図15は、本実施例にかかる装置の接続構成を示した図である。
【００９０】
映像送受信装置1501、映像送受信装置1502、映像受信装置1503および映像受信装置1504は、放送や通信で提供される映像音声データを受信して表示する機能を備えている。また、映像送受信装置1501および映像送受信装置1502は、映像音声データをネットワーク経由で送信する機能を備えており、映像受信装置1503および映像受信装置104に対して、映像音声データをネットワーク経由で送信する。映像受信装置1503および映像受信装置1504は、映像送受信装置1501および映像送受信装置1502からネットワーク経由で受信した映像音声データを表示する。なお、映像音声データを送信する伝送路としては、有線ネットワークや無線ネットワークが挙げられる。
【００９１】
図16は、本実施例にかかる映像送受信装置1501および映像送受信装置1502の構成例を概略的に示した図である。映像送受信装置1501および映像送受信装置1502を構成する各部1602、および1604から1609は、図13における1302、および1304から1309と同等の機能を持つ。
【００９２】
映像音声表示部1603は、放送波受信部1602等で受信した映像音声データを、ユーザに提示する。ネットワーク受信部1610は、映像音声データ等をネットワーク経由で受信する。ネットワーク送信部1611は、映像受信装置に対して映像音声データをネットワーク経由で送信する。
【００９３】
図17は、本実施例にかかる映像受信装置1503および映像受信装置1504の構成例を概略的に示した図である。映像受信装置1503および映像受信装置1504を構成する各部1703から1706は、図4における403から406と同等の機能を持つ。
【００９４】
放送波受信部1702は、映像音声表示部1703で表示する映像音声データを、放送波経由で受信する。ネットワーク受信部1707は、映像音声データ等をネットワーク経由で受信する。
【００９５】
本実施例では、映像送受信装置1501および映像送受信装置1502が同時に1つの映像受信装置にのみ映像音声データを送信できるものとして説明するが、これによって映像送受信装置が同時に映像音声データを送信できる映像受信装置の数を限定するものではない。
【００９６】
図18は、本実施例にかかる映像送受信装置1501が映像受信装置1504からの映像音声データ送信要求を受けた際に、映像受信装置1503に指示して映像音声データ送信元を変更させた上で、映像受信装置1504に映像音声データを送信する手順を示している。
【００９７】
ステップ1801は、映像送受信装置1501が映像受信装置1503に対して蓄積コンテンツAの映像音声データを送信している状態である。このとき、映像送受信装置1502はどの映像受信装置に対しても映像音声データを送信していないものとする。また、映像受信装置1504はどの映像送受信装置からも映像音声データを受信していないものとする。
【００９８】
ステップ1802は、映像受信装置1504が映像送受信装置1501に対して、蓄積部1608に蓄積している蓄積コンテンツBの送信を要求する処理である。
【００９９】
ステップ1803は、映像送受信装置1501が他機器情報管理部1609において、映像送受信装置1502の情報を確認する処理である。このとき、映像送受信装置1502は、蓄積部1608に蓄積コンテンツAを保存しているが、蓄積コンテンツBは保存していないものとする。また、映像送受信装置1502は電源が投入されているものとする。
【０１００】
ステップ1804は、映像送受信装置1501が送信可否判別部1606において、ステップ1803の結果に基づき、映像受信装置1504に対して映像音声データを送信できるか否か判別する処理である。このとき、映像送受信装置1501は映像受信装置1503に対して映像音声データを送信しているため、同時に映像受信装置1504に映像音声データを送信することはできない。ここで、映像受信装置1504が要求している蓄積コンテンツBは映像送受信装置1501のみ保有しているが、映像受信装置1503に送信している蓄積コンテンツAは映像送受信装置1501および映像送受信装置1502ともに保有している。したがって、映像送受信装置1502が映像受信装置1503に対して蓄積コンテンツAを送信すれば、映像送受信装置1501は映像受信装置1504に対して蓄積コンテンツBを送信することができる。
【０１０１】
ステップ1805は、映像送受信装置1501が切替指示部1607において、映像受信装置1503に対して映像音声データ送信元の変更を指示する処理である。このとき、映像送受信装置1501は映像受信装置1503への映像音声データ送信を継続し、映像受信装置1503の表示が途切れないようにする。
【０１０２】
ステップ1806は、映像送受信装置1501からの切替指示を受け、映像受信装置1503が受信切替部1706において、映像送受信装置1502に対して蓄積コンテンツAの映像音声データの送信を要求する処理である。このとき、映像受信装置1503は映像送受信装置1501からの映像音声データの受信を継続し、映像音声表示が途切れないようにする。
【０１０３】
ステップ1807は、映像送受信装置1502が送信可否判別部1606において、映像受信装置1503に対して映像音声データを送信できるか否か判別する処理である。このとき、映像送受信装置1502はどの映像受信装置に対しても映像音声データを送信しておらず、かつ蓄積部1608に蓄積コンテンツAを保有しているため、映像受信装置1503に対して映像音声データを送信することができる。
【０１０４】
ステップ1808は、映像送受信装置1502が映像受信装置1503からの要求に応じ、蓄積コンテンツAの映像音声データの送信を開始する処理である。このとき、映像受信装置1503は映像送受信装置1501と映像送受信装置1502から同時に同じ映像音声データを受信することになるが、映像送受信装置1501から受信した映像音声データを表示したままの状態を保つ。
【０１０５】
ステップ1809は、映像受信装置1503が映像送受信装置1501から受信した映像音声データの表示を停止し、映像送受信装置1502から受信した映像音声データの表示を開始する処理である。これにより、表示を途切れさせることなくスムーズに切り替えることが可能になる。
【０１０６】
ステップ1810は、映像受信装置1503が映像送受信装置1501に対して映像音声データの送信を停止するよう要求する処理である。この要求を受け、映像送受信装置1501は映像受信装置1503への映像音声データ送信を停止する。
【０１０７】
ステップ1811は、映像送受信装置1501が、映像受信装置1503からの送信停止要求に基づいて映像音声データの送信を停止し、送信可否判別部1606において映像受信装置1504に対して映像音声データを送信できるか否か判別する処理である。このとき、映像送受信装置1501はどの映像受信装置に対しても映像音声データを送信していないため、映像受信装置1504に対して映像音声データを送信することができる。
【０１０８】
ステップ1812は、映像送受信装置1501が映像受信装置1504に対して蓄積部1608に蓄積している蓄積コンテンツBの映像音声データの送信を開始する処理である。
【０１０９】
この処理をもって映像受信装置1503の映像音声データ送信元が映像送受信装置1502に切り替わり、映像受信装置1504が映像送受信装置1501から送信される映像音声データを受信することが可能になる。
【符号の説明】
【０１１０】
101・・・映像送信装置
102・・・映像送信装置
103・・・映像表示装置
104・・・映像表示装置
【図１】
2011061645.tif 000003
【図２】
2011061645.tif 000004
【図３】
2011061645.tif 000005
【図４】
2011061645.tif 000006
【図５】
2011061645.tif 000007
【図６】
2011061645.tif 000008
【図７】
2011061645.tif 000009
【図８】
2011061645.tif 000010
【図９】
2011061645.tif 000011
【図１０】
2011061645.tif 000012
【図１１】
2011061645.tif 000013
【図１２】
2011061645.tif 000014
【図１３】
2011061645.tif 000015
【図１４】
2011061645.tif 000016
【図１５】
2011061645.tif 000017
【図１６】
2011061645.tif 000018
【図１７】
2011061645.tif 000019
【図１８】
2011061645.tif 000020